(57)【要約】【課題】暖機対象機関の暖機が効率的に行え、かつ、暖機の要否に応じて暖機動作を的確に行えるようにする。【解決手段】過冷却状態で蓄熱が可能な蓄熱材２０と、該蓄熱材２０の過冷却状態を解除する発核装置２５とを有する蓄熱装置１０と、蓄熱装置１０により暖機されるエンジン３０及び自動変速機４０と、エンジンスタートキー５３のウォームアップスイッチ５３ａによる車外からの遠隔操作に応じて暖機動作を制御するＥＣＵ５０と、を備えた車両用暖機システム１において、発核装置２５は、エンジン３０を始動させずに解除動作を行うことが可能であり、ＥＣＵ５０は、ウォームアップスイッチ５３ａの操作を受けた際、エンジン３０や自動変速機４０の暖機要否を判断し、暖機不要である場合は、発核装置２５の発核動作を禁止し、また、冷却水ポンプ３２や作動油ポンプ４２の動作を禁止あるいは抑制することができる。【選択図】図１
2009228431.tif 000002
【特許請求の範囲】
【請求項１】
過冷却状態で蓄熱が可能な潜熱蓄熱材からなる蓄熱要素と、該蓄熱要素の過冷却状態を解除する解除手段とを有する蓄熱装置と、
前記蓄熱装置により熱伝達媒体を介して暖機される暖機対象機関と、
遠隔操作手段による車外からの遠隔操作が可能であり、該遠隔操作手段の操作に応じて前記暖機対象機関の暖機動作を制御する制御手段と、を備え、
前記暖機対象機関は、前記蓄熱装置により冷却水を介して暖機される内燃機関、あるいは前記蓄熱装置により作動油を介して暖機される変速機を含み、
前記解除手段は、前記内燃機関を始動させずに前記蓄熱要素の過冷却状態の解除動作を行うことが可能であり、
前記制御手段は、前記遠隔操作手段による操作を受けた際、前記暖機対象機関の暖機の要否を判断し、暖機が不要である場合は、該暖機対象機関に対する暖機動作を禁止あるいは抑制することを特徴とする車両用暖機システム。
【請求項２】
前記制御手段は、前記暖機対象機関の暖機が不要である場合、前記解除手段による前記蓄熱要素の過冷却状態の解除動作を禁止することを特徴とする請求項１に記載の車両用暖機システム。
【請求項３】
前記制御手段は、前記内燃機関あるいは前記変速機の暖機が不要である場合、作動油流路に配設した電動ポンプもしくは冷却水流路に配設した電動ポンプの動作を禁止することを特徴とする請求項１に記載の車両用暖機システム。
【請求項４】
前記制御手段は、前記内燃機関あるいは前記変速機の暖機が不要である場合、作動油流路に配設した電動ポンプもしくは冷却水流路に配設した電動ポンプの回転数を暖機必要時に比べて下げることを特徴とする請求項１に記載の車両用暖機システム。
【請求項５】
前記内燃機関の冷却水温度を検出する冷却水温検出手段を備え、
前記暖機の要否の判断は、検出した冷却水の温度に基づいて行われることを特徴とする請求項１乃至４のいずれかに記載の車両用暖機システム。
【請求項６】
外気温を検出する外気温検出手段を備え、
前記暖機の要否の判断は、検出した外気温に基づいて行われることを特徴とする請求項１乃至４のいずれかに記載の車両用暖機システム。
【請求項７】
前記変速機の作動油の温度を検出する作動油温検出手段を備え、
前記暖機の要否の判断は、検出した作動油の温度に基づいて行われることを特徴とする請求項１乃至４のいずれかに記載の車両用暖機システム。
【請求項８】
前記冷却水と熱交換を行う車内暖房装置と、該車内暖房装置の吐気温度を検出する吐気温度検出手段とを備え、
前記暖機の要否の判断は、検出した前記車内暖房装置の吐気温度に基づいて行われることを特徴とする請求項１乃至４のいずれかに記載の車両用暖機システム。
【請求項９】
前記冷却水と熱交換を行う車内暖房装置と、該車内暖房装置の温度を検出する暖房装置温度検出手段とを備え、
前記暖機の要否の判断は、検出した前記車内暖房装置の温度に基づいて行われることを特徴とする請求項１乃至４のいずれかに記載の車両用暖機システム。
【請求項１０】
前記内燃機関の潤滑油温度を検出する潤滑油温度検出手段を備え、
前記暖機の要否の判断は、検出した潤滑油の温度に基づいて行われることを特徴とする請求項１乃至４のいずれかに記載の車両用暖機システム。
【請求項１１】
前記内燃機関のケース温度を検出する内燃機関ケース温度出手段を備え、
前記暖機の要否の判断は、検出した前記内燃機関のケース温度に基づいて行われることを特徴とする請求項１乃至４のいずれかに記載の車両用暖機システム。
【発明の詳細な説明】
【技術分野】
【０００１】
本発明は、内燃機関や自動変速機などの早期暖機あるいは車内の即効暖房を行うことができる蓄熱装置を備えた車両用暖機システムに関する。
【背景技術】
【０００２】
従来、例えば特許文献１、２に示すように、蓄熱により内燃機関（以下、「エンジン」という）や自動変速機の暖機を行う蓄熱装置を備えた車両用暖機システムがある。特許文献１に記載の蓄熱装置（蓄熱タンク）は、エンジンの冷却水を蓄熱媒体として用い、該蓄熱媒体を断熱性の高い容器に収容したものである。また、特許文献２に記載の蓄熱装置は、自動変速機の作動油が流通する流路を、セラミックや酸化マグネシウムなどの高熱容量材からなる蓄熱材層で被覆した構造である。このような蓄熱装置を備えた暖機システムによれば、車両の運転時に冷却水や作動油の熱を蓄熱媒体に蓄熱しておき、次回の車両始動時にこの蓄熱を利用して、エンジンや自動変速機など各種機関の早期暖機、あるいは車内の即効暖房などを効果的に行うことが可能となる。
【特許文献１】特開平１０−７１８３７号公報
【特許文献２】特開２００２−３９３３５号公報
【発明の開示】
【発明が解決しようとする課題】
【０００３】
近年、燃費向上や環境問題への配慮からエンジン始動時のアイドリング時間の短縮が求められている。そのためには、上記のような暖機システムで、エンジンの始動前に暖機対象機関の暖機を行えるようにする必要がある。また、冬期などは、乗員が乗車した時点で車内が暖房されていることが望ましい。これらのためには、乗員が車内に入る前に、暖機対象機関の暖機を開始する必要がある。それに加えて、蓄熱装置から暖機対象機関への熱伝達を出来るだけスムーズに行えるようにすることで、暖機時間を短縮し、暖機対象機関の暖機を短時間で効率良く行えるようにすることが必要である。
【０００４】
また、上記のような暖機システムでは、通常、ウォームアップ信号の入力時やエンジンの始動時に、蓄熱装置による暖機対象機関の暖機動作が開始されるようになっている。ところが、エンジンを停止した直後に再始動する場合などは、暖機対象機関が既に十分暖まっており、このような場合は蓄熱装置による暖機を行う必要がない。しかしながら、従来の暖機システムでは、そのような場合でも、通常通りの暖機動作を行っていた。そのため、不要な暖機動作に要する電気エネルギーの無駄が生じていた。
【０００５】
本発明は上述の点に鑑みてなされたものでありその目的は、暖機対象機関の早期暖機および車内の即効暖房が効果的に行えると共に、暖機対象機関の暖機の要否に応じて暖機動作を的確に行うことができる車両用暖機システムを提供することにある。
【課題を解決するための手段】
【０００６】
上記課題を解決するため本発明にかかる車両用暖機システムは、過冷却状態で蓄熱が可能な潜熱蓄熱材からなる蓄熱要素（２０）と、該蓄熱要素（２０）の過冷却状態を解除する解除手段（２５）とを有する蓄熱装置（１０）と、蓄熱装置（１０）により熱伝達媒体を介して暖機される暖機対象機関（３０，４０，４４）と、遠隔操作手段（５３）による車外からの遠隔操作が可能であり、該遠隔操作手段（５３）の操作に応じて暖機対象機関（３０，４０，４４）の暖機動作を制御する制御手段（５０）と、を備え、暖機対象機関（３０，４０，４４）は、蓄熱装置（１０）により冷却水を介して暖機される内燃機関（３０）、あるいは蓄熱装置（１０）により作動油を介して暖機される変速機（４０）を含み、解除手段（２５）は、内燃機関（３０）を始動させずに蓄熱要素（２０）の過冷却状態の解除動作を行うことが可能であり、制御手段（５０）は、遠隔操作手段（５３）による操作を受けた際、暖機対象機関（３０，４０，４４）の暖機の要否を判断し、暖機が不要である場合は、該暖機対象機関（３０，４０，４４）に対する暖機動作を禁止あるいは抑制することを特徴とする。なお、ここでの括弧内の符号は、後述する実施形態の対応する構成要素の符号を本発明の一例として示したものである。
【０００７】
本発明にかかる車両用暖機システムによれば、遠隔操作手段による車外からの遠隔操作が可能な制御手段で暖機対象機関の暖機動作を制御するようにしたので、乗車前に車外からの操作で暖機対象機関の暖機を開始することが可能となる。これにより、乗車時に既に暖機が行われている状態にすることができる。また、蓄熱装置は、過冷却状態で蓄熱が可能な潜熱蓄熱材を有し、解除手段は、内燃機関を始動させずに蓄熱要素の過冷却状態の解除動作を行うことが可能なので、内燃機関の始動前に暖機対象機関の暖機を開始することができる。したがって、車両のスムーズな始動、アイドリング時間の短縮、燃費の向上、車内環境の快適化などが図れる。それに加えて、制御手段は、遠隔操作手段による操作を受けた際、暖機対象機関の暖機が不要である場合は、暖機動作を禁止あるいは抑制するので、暖機対象機関が既に暖まっている場合は、蓄熱材の過冷却状態の解除動作、あるいはそれ以外の暖機動作を回避することができる。これにより、蓄熱要素からの不要な蓄熱の放出を防止でき、また、暖機動作に要する電気エネルギーなどの無駄を削減できる。
【０００８】
また、上記暖機動作の禁止あるいは抑制の一実施態様として、制御手段（５０）は、暖機対象機関（３０，４０，４４）の暖機が不要である場合、解除手段（２５）による蓄熱要素（２０）の過冷却状態の解除動作を禁止することができる。これによれば、蓄熱要素からの不要な蓄熱の放出を防止でき、また、解除動作に要する電気エネルギーの無駄を削減できる。
【０００９】
また、上記暖機動作の禁止あるいは抑制の一実施態様として、制御手段（５０）は、内燃機関（３０）あるいは変速機（４０）の暖機が不要である場合、作動油流路（３１）に配設した電動ポンプ（４２）あるいは冷却水流路（３１）に配設した電動ポンプ（３２）の動作を禁止することができる。すなわち、蓄熱要素で内燃機関や変速機を暖機する際に、冷却水流路や作動油流路の電動ポンプを動作させるシステムでは、暖機不要の場合にもそのまま電動ポンプを動作させると、その分、電気エネルギーが無駄になる。そこで、暖機不要の場合には電動ポンプの動作を禁止することにより、電気エネルギーを節約することができる。
【００１０】
もしくは、制御手段（５０）は、内燃機関（３０）あるいは変速機（４０）の暖機が不要である場合、作動油流路（４１）に配設した電動ポンプ（４２）あるいは冷却水流路（３１）に配設した電動ポンプ（３２）の回転数を暖機必要時に比べて下げることができる。すなわち、蓄熱要素で内燃機関や変速機を暖機する際に、暖機しない場合と比べて冷却水流路や作動油流路の電動ポンプを高回転で動作させるシステムでは、暖機不要の場合にもそのまま電動ポンプを高回転で動作させると、その分、電気エネルギーが無駄になる。そこで、暖機不要の場合には電動ポンプの回転を下げることで、電気エネルギーを節約することができる。
【００１１】
また、上記の暖機システムにおいては、内燃機関（３０）の冷却水温度を検出する冷却水温検出手段（３８）を備え、暖機の要否の判断は、検出した冷却水の温度に基づいて行うようにしてよい。また、外気温を検出する外気温検出手段（５４）を備え、暖機の要否の判断は、検出した外気温に基づいて行うようにしてもよい。また、変速機（４０）の作動油温度を検出する作動油温検出手段（４３）を備え、暖機の要否の判断は、検出した作動油温度に基づいて行うようにしてもよい。また、車内暖房装置（４４）の温度を検出する暖房装置温度検出手段（４８）、あるいは該車内暖房装置（４４）の吐気温度を検出する吐気温度検出手段（４９）を備え、暖機の要否の判断は、検出した車内暖房装置（４４）の温度、あるいはその吐気温度に基づいて行うようにしてもよい。また、内燃機関（３０）の潤滑油温度を検出する潤滑油温度検出手段（３４）、あるいは内燃機関（３０）のケース温度を検出する内燃機関ケース温度検出手段（５８）を備え、暖機の要否の判断は、検出した内燃機関の潤滑油温度あるいはケース温度に基づいて行うようにしてもよい。これらによれば、上記の各種温度検出手段は、従来から車両に設置されているものを使用できるので、新たな部品を設置する必要がなく、コスト上昇を伴わず、暖機の要否を適切に判断できるようになる。
【発明の効果】
【００１２】
本発明にかかる車両用暖機システムによれば、暖機対象機関の早期暖機および車内の即効暖房が効果的に行えると共に、暖機対象機関の暖機の要否に応じて暖機動作を的確に行うことができる。
【発明を実施するための最良の形態】
【００１３】
以下、添付図面を参照して本発明の実施形態を詳細に説明する。図１は、本発明の一実施形態にかかる蓄熱装置を備えた車両用暖機システムの構成例を示す概略図である。この車両用暖機システム１は、蓄熱材２０を有してなる蓄熱装置１０と、エンジン３０の冷却水（ＬＬＣ）を蓄熱装置１０および車内暖房装置４４のヒータコア４５へ循環させる冷却水循環路３１と、自動変速機（ＡＴ）４０の作動油（ＡＴＦ）を蓄熱装置１０へ循環させる作動油循環路４１とを備えている。冷却水循環路３１は、エンジン３０に形成された図示しない水ジャケットから導出されて、蓄熱装置１０に連通し、蓄熱装置１０の下流側でヒータコア４５を通り、エンジン３０の水ジャケットに再度導入されている。エンジン３０に導入される直前位置には、冷却水ポンプ（電動ポンプ）３２が介装されている。また、作動油循環路４１には、作動油を流通させる作動油ポンプ（電動ポンプ）４２と、作動油の温度を検出する油温センサ４３が設置されている。油温センサ４３で検出された作動油温は、電子制御ユニット（以下、「ＥＣＵ」という。）５０に出力されるようになっている。また、冷却水ポンプ３２及び作動油ポンプ４２の動作は、ＥＣＵ５０により制御されるようになっている。蓄熱装置１０は、詳細な構成は後述するが、冷却水循環路３１に連通する第一室１５と、蓄熱材２０を配設した第二室１６と、作動油循環路４１に連通する第三室１７とを備えている。
【００１４】
ヒータコア４５は、詳細な図示は省略するが、車内に臨む空気導入ダクト内に設置されている。空気導入ダクト内には、ヒータコア４５に風を送るための送風ファン４６が組み込まれている。送風ファン４６は、ＥＣＵ５０により制御されるようになっている。ヒータコア４５の送風下流側には、車内に連通する送風ダクトが設けられている。
【００１５】
また、車内のコントロールパネル（図示せず）には、車内暖房用の暖房スイッチ５１、及びデフロスタ吹出口から温風を吹き出すためのデフロスタスイッチ５５が設けられている。暖房スイッチ５１およびデフロスタスイッチ５５のオン／オフ信号は、ＥＣＵ５０に出力されるようになっている。したがって、送風ファン４６は、暖房スイッチ５１やデフロスタスイッチ５５のオン信号に応じて作動し、空気導入ダクトを介して吸い込んだ車内の空気を、ヒータコア４５を通して送風ダクトから再び車内に吹き込むようになっている。車内暖房装置４４には、該車両用暖房装置４４の温度（ヒータコア４５の温度）を検出する暖房装置温度センサ４８、およびヒータコア４５からの吐気温度を検出する暖房吐気温度センサ４９が設置されている。暖房装置温度センサ４８および暖房吐気温度センサ４９の検出信号は、ＥＣＵ５０に出力されるようになっている。また、暖機システム１は、外気温を検出する外気温センサ５４を備えている。外気温センサ５４の検出信号は、ＥＣＵ５０に出力されるようになっている。また、エンジン３０の潤滑油（オイル）温度を検出する潤滑油温度センサ３４、及びエンジン３０のケース温度を検出するエンジンケース温度センサ５８が設けられている。さらに、自動変速機４０のケース温度を検出する変速機ケース温度センサ５９が設けられている。これら潤滑油温度センサ３４、エンジンケース温度センサ５８、変速機ケース温度センサ５９の検出信号は、ＥＣＵ５０に出力されるようになっている。また、イグニッションスイッチ（以下、ＩＧスイッチという。）５６の操作信号は、ＥＣＵ５０に送られるようになっている。
【００１６】
冷却水循環路３１における蓄熱装置１０とヒータコア４５の間には、冷却水循環路３１の開閉を切り替える切替バルブ（開閉弁）３３が設置されている。切替バルブ３３は、ＥＣＵ５０からの信号で開閉が制御されるようになっている。以下では、切替バルブ３３がオフであるというときは、切替バルブ３３が開かれて、蓄熱装置１０及びヒータコア４５の冷却水が流通する状態を示し、切替バルブ３３がオンであるというときは、切替バルブ３３が閉じられて、蓄熱装置１０及びヒータコア４５の冷却水が流通しない状態を示す。
【００１７】
また、エンジン３０から出た冷却水をラジエター４７へ循環させるラジエター用循環路３５が設けられている。ラジエター用循環路３５は、エンジン３０の水ジャケットから出て、冷却水循環路３１における冷却水ポンプ３２の上流側に合流している。ラジエター用循環路３５には、ラジエター４７に連通する主流路３５ａと、ラジエター４７をバイパスするバイパス流路３５ｂとが設けられている。ラジエター４７の下流側におけるバイパス流路３５ｂの合流部には、電子制御サーモスタット弁（三方弁）３７が介装されている。電子制御サーモスタット弁３７は、ＥＣＵ５０からの信号で開閉方向が制御されるようになっている。また、ラジエター用循環路３５には、冷却水温を検出する水温センサ３８が組み込まれている。水温センサ３８の検出信号は、ＥＣＵ５０に出力されるようになっている。
【００１８】
図２は、電子制御サーモスタット弁３７の構成例を示す図である。以下では、電子制御サーモスタット弁３７がオフであるというときは、同図（ａ）に示す状態、すなわち、主流路３５ａを開いてバイパス流路３５ｂを閉じた状態を指し、電子制御サーモスタット弁３７がオンであるというときは、同図（ｂ）に示す状態、すなわち、主流路３５ａを閉じてバイパス流路３５ｂを開いた状態を指すものとする。
【００１９】
ＥＣＵ５０は、水温センサ３８で検出した冷却水温が所定温度（例えば１００℃）未満の場合、電子制御サーモスタット弁３７をオンにすることで、バイパス流路３５ｂを開き主流路３５ａを閉じて、冷却水がラジエター４７へ流れないように制御する。一方、冷却水温が所定温度（例えば１１０℃）以上になった場合、電子制御サーモスタット弁３７をオフにすることで、バイパス流路３５ｂを閉じて主流路３５ａを開き、冷却水をラジエター４７へ導くように制御する。
【００２０】
ＥＣＵ５０には、無線により外部機器からの信号を受信可能な受信装置５２が接続されている。これにより、ＥＣＵ５０は、エンジンスタートキー（遠隔操作手段）５３に設けたウォームアップスイッチ５３ａのオン／オフ信号を受信できるようになっている。したがって、乗員が車外でエンジンスタートキー５３のウォームアップスイッチ５３ａを操作した場合、ＥＣＵ５０でその信号が遠隔受信され、それに応じてＥＣＵ５０は暖機システム１にウォームアップ指令を発することができる。
【００２１】
図３は、蓄熱装置１０の詳細構成を示す図で、（ａ）は、分解斜視図、（ｂ）は、（ａ）のＡ−Ａ矢視断面図である。蓄熱装置１０は、長手状の筒状体からなる筐体１１と、筐体１１の内部に設置された該筐体１１よりも若干小径の筒状体からなる中間部材１２と、中間部材１２の内部に設置された仕切部材１３とを備えた三重構造になっている。仕切部材１３は複数のフィン１３ａを有している。フィン１３ａは、筐体１１の長手方向に沿って延びる板状で、多数が横方向に所定間隔で配列されている。フィン１３ａの内部には、同図（ｂ）に示すように、仕切部材１３の外側に通じる隙間１３ｂが設けられている。筐体１１と中間部材１２の間は、エンジン３０の冷却水が導入される第一室１５になっており、フィン１３ａの隙間１３ｂを含む中間部材１２と仕切部材１３の間は、自動変速機４０の作動油が導入される第三室１７になっており、仕切部材１３の内側は、蓄熱材２０が密封状態で充填される第二室１６になっている。
【００２２】
筐体１１の上下端の開口には、蓋部材１４ａ，１４ｂが取り付けられている。下側の蓋部材１４ａには、第三室１７に作動油を導入する作動油入口１７ａが設けられており、上側の蓋部材１４ｂには、作動油を導出する作動油出口１７ｂが設けられている。また、筐体１１の上端近傍と下端近傍の側面には、それぞれ第一室１５に冷却水を導入する冷却水入口１５ａと、冷却水を導出する冷却水出口１５ｂとが設けられている。
【００２３】
この蓄熱装置１０では、第二室１６と第三室１７とが隣接して配置され、かつ、第三室１７と第一室１５とが隣接して配置されている。したがって、第二室１６の蓄熱材２０と第三室１７の作動油との間で直接的に熱交換を行え、かつ、第三室１７の作動油と第一室１５の冷却水との間で直接的に熱交換を行える。なお、第一室１５の作動油と第二室１６の蓄熱材２０との間でも、第三室１７の作動油を介して間接的に熱交換が行える。
【００２４】
筐体１１は、冷却水に対する防錆性などの耐久性があり、且つ断熱性の良好な材料、例えば、銅、アルミニウム、ステンレスなどの金属材料で構成されている。この筐体１１は、図示は省略するが、断熱性を高めるため、内部に真空の断熱層を形成してもよい。また、中間部材１２および仕切部材１３は、冷却水、作動油、蓄熱材２０に対する耐久性があり、且つ比較的熱伝導性の高い材料、例えば、ステンレスなどの金属材料で構成するとよい。
【００２５】
蓄熱材２０は、過冷却状態で蓄熱が可能な潜熱蓄熱材であり、凝固点以下になっても液状のままで固化しない性質を有している。このような蓄熱材２０として、例えば、酢酸ナトリウム水和物からなる蓄熱材が挙げられる。酢酸ナトリウム水和物は、後述する解除手段による過冷却状態の解除によって、平衡状態に戻って固化する際に発熱し、温度の低い他の媒体を加熱することができる。
【００２６】
そして、第二室１６の蓄熱材２０中には、蓄熱材２０の過冷却状態を解除する解除手段（以下、「発核装置」という。）２５が設置されている。図４は、発核装置２５を示す概略側面図である。発核装置２５は、蓄熱材２０中に設置された円形平板状の金属バネ部材２６と、金属バネ部材２６に打撃を与えるソレノイド２７とを備えている。ソレノイド２７は、ＥＣＵ５０の指令に応じて動作する。金属バネ部材２６は、同図（ａ）に示す状態において、ソレノイド２７による打撃で中央部２６ａが押圧されると、同図（ｂ）に示すように、該中央部２６ａが反転するようになっている。これにより、蓄熱材２０中に核が生成（発核）され、蓄熱材２０の過冷却状態が解除されて固化が始まる。なお、解除手段としては、蓄熱材２０中に核を生成可能な手段であれば、何れの手段でもよく、上記以外にも、例えば、蓄熱材２０中で金属摩擦あるいは電圧印加などを施す手段であってもよい。
【００２７】
ここでは、過冷却状態で蓄熱が可能な潜熱蓄熱材の代表例として酢酸ナトリウム水和物を挙げたが、他にも、水和塩化合物（化学式としてＭｘ・ｎＨ2Ｏ（ｎ：整数）で表わされるもの）を挙げることができ、Ｎａ2ＳＯ4・１０Ｈ2Ｏ，ＣａＣｌ2・６Ｈ2Ｏを例示することができる。
【００２８】
また、蓄熱材は、化学反応を利用して熱の吸収・放出を行うことができる化学蓄熱材からなるものであってもよい。このような化学蓄熱材として、例えば、ゼオライトからなる蓄熱材がある。図５は、ゼオライトからなる蓄熱材２１を備えた蓄熱装置１０の構成例を示す図である。この場合、蓄熱装置１０は、ゼオライトからなる蓄熱材２１に反応媒体である水２２を供給して化学反応を生じさせる反応媒体供給部２３を備えて構成される。この蓄熱装置１０では、エンジン３０の運転時に、冷却水や作動油との熱交換でゼオライト２１を加熱して脱水させ、これにより、蓄熱材２１に蓄熱する。一方、エンジン３０の始動時には、反応媒体供給部２３から蓄熱材２１に水２２を供給して吸着させることで、蓄熱材２１に吸着熱を発生させて冷却水や作動油を加熱する。化学蓄熱材としては、ゼオライトの他にも、例えば、シリカゲル・活性炭・生石灰などがあり、化学反応を生じさせる反応媒体としては、水の他にも、エタノール・メタノール・エチレングリコール系不凍液・塩化カルシウム系不凍液などがある。また、化学蓄熱材の例としては、他にも水素吸蔵合金を用いた蓄熱材などが挙げられる。
【００２９】
図６は、上記構成の暖機システム１における運転モードのタイムチャートを示すグラフである。なお、ここでは、蓄熱装置１０による暖機対象機関として自動変速機４０を例に挙げて説明する。図６に示すように、暖機システム１の運転モードは、モード０からモード３までの４段階に切り替わる。モード０は、エンジン３０が始動する前のモードであり、この間にエンジンスタートキー５３のウォームアップスイッチ５３ａの操作によるウォームアップ信号の入力があれば、後述するように、自動変速機４０の暖機の要否が判断され、それ基づいて発核装置２５及び作動油ポンプ４２が適宜に作動し、蓄熱装置１０による自動変速機４０の暖機が行われる。モード１は、ＩＧスイッチ５６がオンされてエンジン３０が始動してから、冷却水温度が所定温度（♯ＴＷ１Ｌ）に達するまでのモードである。この間、モード０で蓄熱装置１０による自動変速機４０の暖機が行われていた場合は、引き続き暖機が行われる。一方、エンジン３０は自己暖機する。モード２は、冷却水温度がの所定温度（♯ＴＷ１Ｌ）に達した後、作動油の油温が所定温度（♯ＴＡＴＦ１Ｌ）に達したことで自動変速機４０の暖機が完了したと判断されるまでのモードである。この間、自動変速機４０はエンジン３０の冷却水によって暖機される。エンジン３０の冷却水は、電子制御サーモスタット弁３７の制御によって、所定の温度範囲を維持するように制御（ＤＵＴＹ制御）される。モード３は、自動変速機４０の暖機が完了したと判断された後のモードであり、この間、自動変速機４０はエンジン３０の冷却水によって冷却される。エンジン３０の冷却水は、モード２と同様、電子制御サーモスタット弁３７の制御によって、所定の温度範囲を維持するように制御される。
【００３０】
図７は、暖機システム１の制御手順を示すメインフローである。この制御手順では、まず、後述するモード切替のサブルーチンを実行する（ステップＳＴ１）。その結果に基づき、モード０であるか否かを判定する（ステップＳＴ２）。モード０であれば（Ｙ）、モード０のサブルーチンを実行し（ステップＳＴ３）、モード０でなければ（Ｎ）、モード１か否かを判定する（ステップＳＴ４）。その結果、モード１であれば（Ｙ）、モード１のサブルーチンを実行し（ステップＳＴ５）、モード１でなければ（Ｎ）、モード２か否かを判定する（ステップＳＴ６）。その結果、モード２であれば（Ｙ）、モード２のサブルーチンを実行し（ステップＳＴ７）、モード２でなければ（Ｎ）、モード３のサブルーチンを実行する（ステップＳＴ８）。
【００３１】
図８は、モード切替手順を説明するためのフローチャートである。モード切替では、まず、ＩＧスイッチ５６がオンであるか否かを判定する（ステップＳＴ１０）。その結果、ＩＧスイッチ５６がオンでなければ（Ｎ）、モード０をセットする（ステップＳＴ１１）。ＩＧスイッチ５６がオンであれば（Ｙ）、モード２以上か否かを判定し（ステップＳＴ１２）、モード２以上でなければ（Ｎ）、冷却水温ＴＷが♯ＴＷ１Ｌより低いか否かを判定し（ステップＳＴ１３）、冷却水温ＴＷが♯ＴＷ１Ｌより低ければ（Ｙ）、モード１をセットする（ステップＳＴ１４）。♯ＴＷ１Ｌの具体例は、１００℃である。また、先のステップＳＴ１２でモード２以上である場合（Ｙ）は、続けてモード２か否かを判定し（ステップＳＴ１５）、モード２である場合（Ｙ）、あるいは先のステップＳＴ１３で冷却水温ＴＷが♯ＴＷ１Ｌ以上である場合（Ｎ）は、作動油温ＴＡＴＦが♯ＴＡＴＦ１Ｌより低いか否かを判定する（ステップＳＴ１６）。♯ＴＡＴＦ１Ｌの具体例は、１００℃である。その結果、作動油温ＴＡＴＦが♯ＴＡＴＦ１Ｌより低ければ（Ｙ）、モード２をセットし（ステップＳＴ１７）、作動油温ＴＡＴＦが♯ＴＡＴＦ１Ｌ以上であれば（Ｎ）、モード３をセットする（ステップＳＴ１８）。また、先のステップＳＴ１５でモード２でない場合（Ｎ）は、モード３をセットする（ステップＳＴ１８）。
【００３２】
図９は、モード０の手順を説明するためのフローチャートである。モード０では、まず、ウォームアップ信号の入力有無を判定する（ステップＳＴ０−１）。この結果、ウォームアップ信号の入力が無い場合（Ｎ）は、発核装置２５をオフする（ステップＳＴ０−２）。また、作動油ポンプ４２をオフする（ステップＳＴ０−３）。ステップＳＴ０−１でウォームアップ信号の入力が有る場合（Ｙ）は、冷却水温ＴＷが♯ＴＷ３より低いか否かを判定する（ステップＳＴ０−４）。♯ＴＷ３の具体例は、６０℃である。その結果、冷却水温ＴＷが♯ＴＷ３より高ければ（Ｎ）、発核装置２５をオフし（ステップＳＴ０−２）、さらに、作動油ポンプ４２をオフする（ステップＳＴ０−３）。もしくは、この場合、後述する回転制御により作動油ポンプ４２を低回転で動作させることも可能である。つまり、エンジン３０の始動前における自動変速機４０の暖機の要否を冷却水温にて判断し、該冷却水温が所定温度よりも高い場合は、暖機は不要であるとして、発核装置２５による蓄熱材２０の発核動作を禁止する。また、作動油ポンプ４２の動作を禁止あるいは抑制する。これにより、電気エネルギーの無駄を削減できる。一方、ステップＳＴ０−４で冷却水温ＴＷが♯ＴＷ３より低ければ（Ｙ）、発核装置２５がオンであるか否かを判定する（ステップＳＴ０−５）。その結果、発核装置２５がオンでなければ（Ｎ）、発核装置２５をオンする（ステップＳＴ０−６）。発核装置２５がオンであれば（Ｙ）、発核装置２５がオンしてから所定時間以内か否かを判定する（ステップＳＴ０−７）。その結果、所定時間以内でなければ（Ｎ）、すなわち発核装置２５がオンしてから所定時間以上が経過していれば、発核装置２５をオフし（ステップＳＴ０−２）、作動油ポンプ４２をオフする（ステップＳＴ０−３）。一方、所定時間以内であれば（Ｙ）、作動油ポンプ４２をオンする（ステップＳＴ０−８）。また、このモード０では、切替バルブ３３はオフにし（ステップＳＴ０−９）、電子制御サーモスタット弁３７はオフにする（ステップＳＴ０−１０）。その後、モード０の手順を終了してメインフローに戻る。
【００３３】
図１０は、モード１の手順を説明するためのフローチャートである。モード１は、ＩＧスイッチ５６のオンによりスタートし、まず、冷却水温ＴＷが♯ＴＷ３より低いか否かを判定する（ステップＳＴ１−１）。その結果、冷却水温ＴＷが♯ＴＷ３以上であれば（Ｎ）、発核装置２５をオフする（ステップＳＴ１−２）。つまり、エンジン３０の始動時に冷却水温が所定以上である場合は、蓄熱装置１０による自動変速機４０の暖機は不要であると判断し、発核装置２５による蓄熱材２０の発核動作を行わない。一方、冷却水温ＴＷが♯ＴＷ３より低ければ（Ｙ）、発核装置２５がオンである否かを判定する（ステップＳＴ１−３）。その結果、発核装置２５がオンでなければ（Ｎ）、発核装置２５をオンする（ステップＳＴ１−４）。発核装置２５がオンであれば（Ｙ）、発核装置２５がオンしてから所定時間以内か否かを判定する（ステップＳＴ１−５）。その結果、所定時間以内でなければ（Ｎ）、すなわち発核装置２５がオンしてから所定時間以上が経過していれば、発核装置２５をオフする（ステップＳＴ１−２）。発核装置２５がオンしてから所定時間以内である場合（Ｙ）は、作動油ポンプ４２をオンし（ステップＳＴ１−６）、作動油循環路４１の作動油を循環させる。その後、外気温が所定温度以上であり、かつデフロスタスイッチ５５がオフであるか否かを判定する（ステップＳＴ１−７）。その結果、外気温が所定温度以下、又はデフロスタスイッチ５５がオンである場合（Ｎ）は、切替バルブ３３をオフすることで（ステップＳＴ１−８）、蓄熱装置１０からの冷却水をヒータコア４５に流通させる。つまりこの場合は、蓄熱装置１０による自動変速機４０の暖機を行いながら、蓄熱装置１０による車内暖房も行う。一方、外気温が所定温度以上であり、かつデフロスタスイッチ５５がオフである場合（Ｙ）は、切替バルブ３３をオンすることで（ステップＳＴ１−９）、蓄熱装置１０からの冷却水をヒータコア４５には流通させない。つまりこの場合は、蓄熱装置１０による自動変速機４０の暖機を優先的に行い、車内暖房は行わない。また、このモード１では、電子制御サーモスタット弁３７をオンしておき（ステップＳＴ１−１０）、ラジエター４７には冷却水を流通させず、冷却水が早期に温まるようにする。その後、モード１の手順を終了してメインフローに戻る。
【００３４】
図１１は、モード２の手順を説明するためのフローチャートである。モード２は、冷却水温が♯ＴＷ１Ｌになった時点でスタートする。モード２では、発核装置２５をオフする（ステップＳＴ２−１）。また、作動油ポンプ４２を作動させて（ステップＳＴ２−２）、作動油循環路４１の作動油を循環させる。また、切替バルブ３３をオフすることで（ステップＳＴ２−３）、蓄熱装置１０からの冷却水をヒータコア４５に流通させる。そして、電子制御サーモスタット弁３７がオンであるか否かを判定し（ステップＳＴ２−４）、オンであれば（Ｙ）、冷却水温ＴＷが♯ＴＷ１Ｈより低いか否かを判定する（ステップＳＴ２−５）。♯ＴＷ１Ｈの具体例は、１０５℃である。その結果、冷却水温ＴＷが♯ＴＷ１Ｈ以上である場合（Ｎ）は、電子制御サーモスタット弁３７をオフすることで（ステップＳＴ２−７）、ラジエター４７に冷却水を流通させる。冷却水温ＴＷが♯ＴＷ１Ｈより低い場合（Ｙ）は、電子制御サーモスタット弁３７をオンすることで（ステップＳＴ２−８）、ラジエター４７に冷却水を流通させない。一方、先のステップＳＴ２−４で電子制御サーモスタット弁３７がオフである場合（Ｎ）は、冷却水温ＴＷが♯ＴＷ１Ｌより高いか否かを判定する（ステップＳＴ２−６）。その結果、冷却水温ＴＷが♯ＴＷ１Ｌより高ければ（Ｙ）、電子制御サーモスタット弁３７をオフし（ステップＳＴ２−７）、冷却水温ＴＷが♯ＴＷ１Ｌ以下であれば（Ｎ）、電子制御サーモスタット弁３７をオンする（ステップＳＴ２−８）。その後、スタートに戻り上記の手順を反復する。つまり、モード２では、冷却水温ＴＷが♯ＴＷ１Ｈ以上に上昇した場合は、ラジエター４７による冷却を行い、冷却水温ＴＷが♯ＴＷ１Ｌ以下に低下した場合は、ラジエター４７による冷却を停止する。これにより、図６に示すように、冷却水温ＴＷが常に♯ＴＷ１Ｌと♯ＴＷ１Ｈの間の範囲内に収まるように制御する。
【００３５】
図１２は、モード３の手順を説明するためのフローチャートである。モード３では、まず、発核装置２５はオフである（ステップＳＴ３−１）。また、作動油ポンプ４２はオンであり（ステップＳＴ３−２）、切替バルブ３３はオフである（ステップＳＴ３−３）。そして、作動油温ＴＡＴＦが♯ＴＡＴＦ１Ｈよりも低いか否かを判定する（ステップＳＴ３−４）。♯ＴＡＴＦ１Ｈの具体例は、１１０℃である。その結果、作動油温ＴＡＴＦが♯ＴＡＴＦ１Ｈよりも低ければ（Ｙ）、電子制御サーモスタット弁３７がオンであるか否かを判定し（ステップＳＴ３−５）、オンであれば（Ｙ）、冷却水温ＴＷが♯ＴＷ１Ｈより低いか否かを判定する（ステップＳＴ３−６）。冷却水温ＴＷが♯ＴＷ１Ｈ以上である場合（Ｎ）は、電子制御サーモスタット弁３７をオフし（ステップＳＴ３−８）、冷却水温ＴＷが♯ＴＷ１Ｈより低ければ（Ｙ）、電子制御サーモスタット弁３７をオンのままとする（ステップＳＴ３−９）。一方、先のステップＳＴ３−５で電子制御サーモスタット弁３７がオフである場合（Ｎ）は、冷却水温ＴＷが♯ＴＷ１Ｌより高いか否かを判定する（ステップＳＴ３−７）。その結果、冷却水温ＴＷが♯ＴＷ１Ｌより高ければ（Ｙ）、電子制御サーモスタット弁３７をオフのままとし（ステップＳＴ３−８）、冷却水温ＴＷが♯ＴＷ１Ｌ以下であれば（Ｎ）、電子制御サーモスタット弁３７をオンする（ステップＳＴ３−９）。つまり、自動変速機４０の作動油温が狙い範囲（ＴＡＴＦ＜♯ＴＡＴＦ１Ｈ：１１０℃）にある場合は、冷却水温をそれ以上低くする必要がないため、該冷却水温を燃費優先のいわゆる燃費狙い値（♯ＴＷ１Ｌ：１００℃＜ＴＷ＜♯ＴＷ１Ｈ：１１０℃）になるように制御する。
【００３６】
一方、先のステップＳＴ３−４において、作動油温ＴＡＴＦが♯ＴＡＴＦ１Ｈよりも高い場合（Ｎ）は、電子制御サーモスタット弁３７がオンであるか否かを判定し（ステップＳＴ３−１０）、オンであれば（Ｙ）、冷却水温ＴＷが♯ＴＷ２Ｈより低いか否かを判定する（ステップＳＴ３−１１）。♯ＴＷ２Ｈの具体例は、８５℃である。冷却水温ＴＷが♯ＴＷ２Ｈ以上である場合（Ｎ）は、電子制御サーモスタット弁３７をオフし（ステップＳＴ３−１３）、冷却水温ＴＷが♯ＴＷ２Ｈより低い場合（Ｙ）は、電子制御サーモスタット弁３７をオンする（ステップＳＴ３−９）。一方、先のステップＳＴ３−１０で電子制御サーモスタット弁３７がオンでない場合（Ｎ）は、冷却水温ＴＷが♯ＴＷ２Ｌより高いか否かを判定する（ステップＳＴ３−１２）。♯ＴＷ２Ｌの具体例は、８０℃である。その結果、冷却水温ＴＷが♯ＴＷ２Ｌより高ければ（Ｙ）、電子制御サーモスタット弁３７をオフし（ステップＳＴ３−１３）、冷却水温ＴＷが♯ＴＷ２Ｌ以下である場合（Ｎ）は、電子制御サーモスタット弁３７をオンする（ステップＳＴ３−９）。つまり、自動変速機４０の作動油温が狙い範囲（ＴＡＴＦ＜♯ＴＡＴＦ１Ｈ：１１０℃）と比べて高すぎる場合は、冷却水温を低く抑える必要があるため、該冷却水温を作動油の冷却を優先する温度（♯ＴＷ２Ｌ：８０℃＜ＴＷ＜♯ＴＷ２Ｈ：８５℃）となるように制御する。
【００３７】
図１３は、作動油ポンプ４２の回転制御の手順を説明するためのフローチャートである。上記の各モードにおける作動油ポンプ４２の動作時の回転数は、同図のフローに従って制御される。まず、作動油ポンプ４２のオン指示の有無を判断し（ステップＳＴ２０−１）、オン指示が無ければ（Ｎ）、作動油ポンプ４２をオフする（ステップＳＴ２０−２）。一方、オン指示があれば（Ｙ）、作動油ポンプ４２をオンする（ステップＳＴ２０−３）。作動油ポンプ４２をオンしたら、発核装置１０のオンから所定時間以内か否かを判断する（ステップＳＴ２０−４）。その結果、所定時間以内でなければ（Ｎ）、すなわち所定時間以上が経過して自動変速機４０の暖機が完了していれば、作動油ポンプ４２の電流値Ｉは、暖機を行わないとき（暖機不要時）の電流値I0に対して増分なしの電流値（I＝I0）とする（ステップＳＴ２０−５）。一方、発核装置１０のオンから所定時間以内であれば（Ｙ）、すなわち蓄熱装置１０による自動変速機４０の暖機中であれば、作動油ポンプ４２の電流値Ｉは、暖機を行わないときの電流値I0に対して、所定の増分♯Ｉupを加算した値（I＝I0+♯Ｉup）とする（ステップＳＴ２０−６）。その後、上記の電流値Iを指示し（ステップＳＴ２０−７）、作動油ポンプ４２の回転数を調節する。これにより、蓄熱装置１０による自動変速機４０の暖機を行っている間は、作動油ポンプ４２の電流を増加させて回転数を上げることで、作動油の流量を増加させ、蓄熱装置１０による自動変速機４０の暖機を行っていない間は、作動油ポンプ４２の電流を減少させて回転数を下げて、作動油の流量を減少させることができる。
【００３８】
なお、上記では、蓄熱装置１０による暖機対象として自動変速機４０を例に挙げ、該自動変速機４０の暖機の要否に応じて作動油ポンプ４２の動作を禁止あるいは抑制する場合を説明したが、本発明の暖機システムでは、上記以外にも、ＥＣＵ５０は、エンジンスタートキー５３のウォームアップスイッチ５３ａの操作によるウォームアップ信号を受けた際、冷却水温あるいは車内暖房装置４４の吐気温度などに基づいて、エンジン３０あるいは車内暖房装置４４の暖機要否を判断し、暖機不要であれば、冷却水循環路３１に配設した冷却水ポンプ３２の動作を禁止するか、あるいは該冷却水ポンプ３２の回転数を暖機必要時と比べて低くすることが可能である。この場合、冷却水ポンプ３２の回転制御として、上記の作動油ポンプ４２と同様の回転制御を行うようにする。また、暖気不要の場合は、発核装置２５の発核動作を禁止することも可能である。なお、エンジン３０や車内暖房装置４４の暖機要否の判断は、自動変速機４０の暖機要否の判断と同様、上記の水温センサ３８で検出した冷却水温や暖房吐気温度センサ４９で検出した車内暖房装置４４の吐気温度のほか、外気温センサ５４で検出した外気温、暖房装置温度センサ４８で検出した車内暖房装置４４の温度、油温センサ４３で検出した作動油温、潤滑油温度センサ３４で検出したエンジン３０の潤滑油温度、エンジンケース温度センサ５８で検出したエンジン３０のケース温度のいずれかに基づいて行うことができる。
【００３９】
以上説明したように、本実施形態の車両用暖機システム１では、エンジンスタートキー５３のウォームアップスイッチ５３ａによる操作でＥＣＵ５０に暖機動作の開始指令を出すことができるので、乗車前に車外からの操作でエンジン３０や自動変速機４０の暖機動作を開始することが可能となる。これにより、乗員の乗車時に既に暖機が行われているようにすることができる。また、発核装置２５は、エンジン３０を始動させずに蓄熱材２０の発核動作（過冷却状態の解除動作）を行うことが可能なので、エンジン３０の始動前に該エンジン３０や自動変速機４０の暖機、あるいは車内暖房を開始することができる。したがって、車両のスムーズな始動、アイドリング時間の短縮、燃費の向上、車内環境の快適化などが図れる。
【００４０】
また、本実施形態の車両用暖機システム１では、ＥＣＵ５０は、エンジンスタートキー５３のウォームアップスイッチ５３ａの操作による暖機開始指示を受けた際、エンジン３０や自動変速機４０などの暖機の要否を判断し、暖機不要であれば、発核装置２５による蓄熱材２０の発核動作を禁止するので、エンジン３０や自動変速機４０が既に暖まっている場合は、蓄熱材２０からの不要な蓄熱の放出を防止でき、かつ、発核動作に要する電気エネルギーの無駄を削減できる。
【００４１】
また、この車両用暖機システム１では、エンジン３０や自動変速機４０の暖機が不要である場合は、冷却水循環路３１に配設した冷却水ポンプ３２や作動油循環路４１に配設した作動油ポンプ４２の動作を禁止することができる。すなわち、蓄熱装置１０でエンジン３０や自動変速機４０を暖機するときに、冷却水や作動油を送るための冷却水ポンプ３２や作動油ポンプ４２を動作させる本暖機システム１において、暖機不要の場合にも冷却水ポンプ３２や作動油ポンプ４２を動作させると、その分、電気エネルギーが無駄になる。そこで、暖機不要の場合には冷却水ポンプ３２や作動油ポンプ４２の動作を禁止することにより、電気エネルギーを節約することができる。
【００４２】
また、この車両用暖機システム１では、蓄熱装置１０でエンジン３０や自動変速機４０を暖機する場合、暖機しない場合と比べて冷却水ポンプ３２や作動油ポンプ４２を高回転で動作させるようになっている。そのため、暖機不要の場合にも冷却水ポンプ３２や作動油ポンプ４２をそのまま高回転で作動させると、その分、電気エネルギーが無駄になる。そこで、エンジン３０や自動変速機４０の暖機が不要の場合は、冷却水ポンプ３２や作動油ポンプ４２の回転数を暖機必要時に比べて下げるように制御する。これにより、暖機不要の場合には冷却水ポンプ３２や作動油ポンプ４２の電流を小さくすることができ、電気エネルギーを節約することができる。
【００４３】
また、この車両用暖機システム１では、エンジン３０や自動変速機４０の暖機要否の判断は、水温センサ３８で検出した冷却水温に基づいて行っている。この場合、水温センサ３８は、従来から車両に設置されているものをそのまま使用できるので、新たな部品を設置する必要がなく、暖機システム１のコスト上昇を伴わず、暖機の要否を適切に判断できるようになる。
【００４４】
さらに、蓄熱装置１０が備える蓄熱材２０は、過冷却状態で蓄熱が可能な潜熱蓄熱材なので、外気温が低下しても蓄熱を保持でき、かつ、長期間放置しても蓄熱を安定的に保持できる。したがって、蓄熱材２０の容器（筐体１１、中間部材１２、仕切部材１３）の断熱構造を簡素化でき、蓄熱装置１０の構成の簡素化、小型化、軽量化を図ることができる。また、発核装置２５による過冷却状態の解除（発核）により、所望のタイミングで蓄熱材２０を発熱させることができるので、エンジン３０や自動変速機４０の早期暖機、あるいは車内の即効暖房を効果的に行えるようになる。
【００４５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。
【図面の簡単な説明】
【００４６】
【図１】本発明の一実施形態にかかる車両用暖機システムの構成例を示す概略図である。
【図２】電子制御サーモスタット弁の構成例を示す図である。
【図３】蓄熱装置の構成例を示す図で、（ａ）は、分解斜視図、（ｂ）は、（ａ）のＡ−Ａ矢視断面図である。
【図４】発核装置の構成例を示す概略側面図である。
【図５】化学蓄熱材を備えた蓄熱装置の構成例を示す図である。
【図６】暖機システムの運転モードのタイムチャートを示すグラフである。
【図７】暖機システム１の制御手順を示すメインフローである。
【図８】運転モード切替手順を説明するためのフローチャートである。
【図９】モード０の手順を説明するためのフローチャートである。
【図１０】モード１の手順を説明するためのフローチャートである。
【図１１】モード２の手順を説明するためのフローチャートである。
【図１２】モード３の手順を説明するためのフローチャートである。
【図１３】作動油ポンプの回転制御の手順を説明するためのフローチャートである。
【符号の説明】
【００４７】
１  暖機システム
１０  蓄熱装置
１５  第一室
１６  第二室
１７  第三室
２０  蓄熱材（蓄熱要素）
２１  ゼオライト（化学蓄熱材）
２５  発核装置（解除手段）
３０  エンジン（内燃機関）
３１  冷却水循環路（冷却水流路）
３２  冷却水ポンプ（電動ポンプ）
３３  切替バルブ
３４  潤滑油温度センサ（潤滑油温度検出手段）
３５  ラジエター用循環路
３７  電子制御サーモスタット弁
３８  水温センサ（冷却水温検出手段）
４０  自動変速機
４１  作動油循環路（作動油流路）
４２  作動油ポンプ（電動ポンプ）
４３  油温センサ（作動油温検出手段）
４４  車内暖房装置
４５  ヒータコア
４６  送風ファン
４７  ラジエター
４８  暖房装置温度センサ（暖房装置温度検出手段）
４９  暖房吐気温度センサ（吐気温度検出手段）
５０  電子制御ユニット（ＥＣＵ）
５１  暖房スイッチ
５２  受信装置
５３  エンジンスタートキー（遠隔操作手段）
５３ａ  ウォームアップスイッチ
５４  外気温センサ（外気温検出手段）
５５  デフロスタスイッチ
５６  イグニッションスイッチ（ＩＧスイッチ）
５８  エンジン温度センサ（内燃機関温度検出手段）
５９  変速機ケース温度センサ（変速機温度検出手段）
【図１】
2009228431.tif 000003
【図２】
2009228431.tif 000004
【図３】
2009228431.tif 000005
【図４】
2009228431.tif 000006
【図５】
2009228431.tif 000007
【図６】
2009228431.tif 000008
【図７】
2009228431.tif 000009
【図８】
2009228431.tif 000010
【図９】
2009228431.tif 000011
【図１０】
2009228431.tif 000012
【図１１】
2009228431.tif 000013
【図１２】
2009228431.tif 000014
【図１３】
2009228431.tif 000015